(57)【要約】      （修正有）【課題】コードが比較的長い場合でさえ、締結具によって簡単に締結され、伸張した状態を保つことができ、使用されていないときに巻き上げる必要はないコード用締結具を提供する。【解決手段】締結具は、基部本体１と、これに接続された保持部分２を備え、保持部分２は、コードを受け取るための貫通穴３を有し、スリット４が貫通穴の側壁に配列され、貫通穴の側壁は、スリットによって第１の部分と第２の部分とに分離されている。締結具で、物品のコードは締結されることができ、これを同一位置に保持するようにする。【選択図】図１
0003139746.tif 000002
【実用新案登録請求の範囲】
【請求項１】
コード用締結具であって、前記締結具は、基部本体（１）と、これに接続された保持部分（２）と、を備え、前記保持部分（２）は、前記コードを受け取るための貫通穴（３）を有し、スリット（４）が前記貫通穴（３）の側壁に配列され、前記貫通穴（３）の前記側壁は、前記スリット（４）によって第１の部分（８）と第２の部分（９）とに分離されていることを特徴とする締結具。
【請求項２】
前記保持部分（２）は、円筒形形状であり、これの内壁は、前記貫通穴（３）を画成する、請求項１に記載の締結具。
【請求項３】
前記基部本体（１）は、平らである、請求項１に記載の締結具。
【請求項４】
前記スリット（４）の中間セクション（１０）は、これの両端セクション（１１）よりも幅が広い、請求項１に記載の締結具。
【請求項５】
前記基部本体（１）は、衣服にしっかり接続されている、請求項１に記載の締結具。
【請求項６】
前記基部本体（１）および前記保持部分（２）は、一体的に作られている、請求項１に記載の締結具。
【請求項７】
前記締結具は、弾性材料から作られている、請求項１〜６のいずれか１項に記載の締結具。
【請求項８】
前記締結具は、プラスチックから作られている、請求項７に記載の締結具。
【請求項９】
前記締結具は、ゴムから作られている、請求項７に記載の締結具。
【考案の詳細な説明】
【技術分野】
【０００１】
本考案は、コード用締結具に関する。特に、物品（たとえば、携帯音楽プレーヤーのヘッドホンまたはヘッドホンライン）のコード（単／複）を締結するための締結具に関する。
【背景技術】
【０００２】
従来、様々な種類の携帯音楽プレーヤーには、ヘッドホンまたはヘッドホンラインが設けられている。ユーザは、普通、携帯音楽プレーヤーを自分の衣服のポケットまたはナップザックに入れる。プレーヤーを使用しているときには、ユーザは、ヘッドホンおよびヘッドホンラインをポケットまたはナップザックから、伸張した状態へ引き出し、次いで、ヘッドホンを自分の耳に挿入する。当分の間プレーヤーを使用しないままにするときには、ユーザは、ヘッドホンラインが比較的長いため、これを巻き上げ、ポケットまたはナップザック内に戻さなければならない。プレーヤーを再使用したいときには、ユーザは、ヘッドホンおよびヘッドホンラインを伸張した状態へ再度引き出さなければならない。したがって、これはユーザには非常に不便である。
【考案の開示】
【考案が解決しようとする課題】
【０００３】
本考案は、コード用締結具を提供し、ヘッドホンおよびヘッドホンライン（単／複）等のそのようなコード（単／複）を（たとえば、衣服またはナップザックに）締結するようにする。このようにして、コードが比較的長い場合でさえ、使用されていないときには、締結具によって簡単に締結して伸張状態に保つことができ、巻き上げる必要がない。したがって、ユーザがコードを再度使用するには、かなり便利である。
【課題を解決するための手段】
【０００４】
本考案は、この目的のために、コード用締結具を提供し、上記締結具は、基部本体と、これに接続された保持部分と、を備え、保持部分は、上記コードを受け取るための貫通穴を有し、スリットが貫通穴の側壁に配列され、貫通穴の側壁は、上記スリットによって第１の部分と第２の部分とに分離されている。
【０００５】
本考案にしたがった締結具は、下記の技術的特徴をさらに含んでもよい。すなわち、
上記保持部分は、円筒形形状であってもよく、これの内壁は、上記貫通穴を画成する。上記基部本体は、平らであることが好ましい。上記スリットの中間セクションは、これの両端セクションよりも幅が広いことが好ましい。
【０００６】
上記基部本体は、衣服にしっかり接続されてもよい。好ましくは、上記基部本体および保持部分は、一体的である。
【０００７】
上記締結具は、弾性材料、たとえば、プラスチック、ゴム等から作られている。
【０００８】
本考案の締結具で、物品（たとえば、携帯音楽プレーヤーのヘッドホンおよびヘッドホンライン）のコード（単／複）を（たとえば、衣服またはナップザックに）締結することができ、コード（単／複）を同一位置に保持するようにする。このようにして、コードが比較的長い場合でさえ、締結具によって簡単に締結されて、これの伸張した状態を保つことができる。使用されていないときに巻き上げる必要はない。したがって、ユーザがコードを再度使用するにはかなり便利である。
【０００９】
以下に、本考案は、締結具の実施形態を示す図面と組み合わせて詳細に説明される。
【考案を実施するための最良の形態】
【００１０】
図１は、コード用締結具を示す。締結具は、基部本体１と、これに接続された保持部分２と、を備え、保持部分２は、上記コードを受け取るための貫通穴３を有し、スリット４が貫通穴３の側壁に配列され、貫通穴３の側壁は、上記スリット４によって第１の部分８と第２の部分９とに分離されている。コード５は、スリット４を通って貫通穴３内部に配置されることができ、または、これから取り出すことができる。
【００１１】
図２〜図５から見ることができるように、締結具で、物品（たとえば、携帯音楽プレーヤーのヘッドホン（単／複）またはヘッドホンライン（単／複））のコード５は、スリット４を通って貫通穴３内部に配置されることができ、コード５を締結して（たとえば、図３に示されるように、衣服またはナップザック１２に）、コード５を同一位置に保持するようにする。このようにして、コード５が比較的長い場合でさえ、締結具によって簡単に締結されることができ、これの伸張した状態を保ち、使用されていないときに巻き上げる必要はない。したがって、ユーザがコード５を再度使用するにはかなり便利である。
【００１２】
図１に示された実施形態において、上記保持部分２は、円筒形形状であり、これの内壁は、上記貫通穴３を画成する。他の形状、たとえば、角柱形状もまた、保持部分２には利用可能であることは、認識されている。
【００１３】
図１に示された基部本体１は、実質的に平らであり、そのため、これを、衣服、ナップザック等に縫い付けるには便利である。当然ながら、基部本体１は、いずれの他の適切な形状、たとえば、柱形状等であってもよい。
【００１４】
図１に示された実施形態において、上記スリット４の中間セクション１０は、これの両端セクション１１よりも幅が広い。このようにして、コード５は、スリット４を通って貫通穴３内部に容易に且つ便利に配置されることができ、または、これから取り出すことができる。
【００１５】
上記基部本体１は、衣服またはナップザック１２等の物品にしっかり接続されてもよい（たとえば、縫い付けることによって）。それによって、コード５を、衣服またはナップザックに直接締結することができる。
【００１６】
図１に示された実施形態において、基部本体１および保持部分２は、たとえば、成形によって、一体的に作られている。他の公知のやり方（たとえば、溶接等）を採用して、基部本体１および保持部分２を接続することもできる。
【００１７】
上記締結具は、弾性材料（たとえば、ゴム、プラスチック等）から作られている。それによって、ユーザがコード５を貫通穴３内に入れたいかまたは穴３から取り出したいときには、スリット４によって分離されている第１の部分８および第２の部分９が、ユーザの指の力下で弾性変形を受け、次いで、スリット４の縁が、互いから離れて動き、スリット４をより広くする。このようにして、コード５は、ずっと容易に、貫通穴３内部に配置されるか、または、これから取り出される。
【００１８】
本考案の締結具は、物品（たとえば、携帯音楽プレーヤーのヘッドホンまたはヘッドホンライン）のコードを締結するのに適切であり、これを同一位置に保持するようにする。締結具は、寸法が小さいため、衣服等の物品に縫い付けることができる。たとえば、締結具は、概観に影響を与えることなく、ジャケットの台襟に縫い付けることができる。
【００１９】
本考案の締結具は、様々な寸法を有することができる。小さいときには、図２および図３に示されるように、ヘッドホンラインを締結するために使用することができ、ユーザが携帯音楽プレーヤーを楽しんでいるときにはヘッドホンラインを伸張状態に保つ。大きいときには、図４および図５に示されるように、ヘッドホンを締結するために使用することができ、ユーザが使用しないままにするときには携帯音楽プレーヤーのヘッドホンを締結する。
【図面の簡単な説明】
【００２０】
【図１】本考案にしたがったコード用締結具の実施形態を示す概略図である。
【図２】図１に示された締結具の使用状態を示す概略図であり、コードは、締結具の保持部分の貫通穴内部に配置されている。
【図３】図１に示された締結具の使用状態を示す概略図であり、締結具は、衣服に縫い付けられている。
【図４】図１に示された締結具の使用状態を示す概略図であり、ヘッドホンは、締結具の保持部分内部に配置されている。
【図５】図１に示された締結具の使用状態を示す概略図であり、ヘッドホンは、締結具の保持部分の貫通穴内部に配置されている。
【符号の説明】
【００２１】
１  基部本体
２  保持部分
３  貫通穴
４  スリット
５  コード
８  第１の部分
９  第２の部分
１０  中間セクション
１１  両端セクション
１２  衣服またはナップザック
【図１】
0003139746.tif 000003
【図２】
0003139746.tif 000004
【図３】
0003139746.tif 000005
【図４】
0003139746.tif 000006
【図５】
0003139746.tif 000007